(57)【要約】【課題】  本発明は、建造物の外壁等屋外部に施工したシリコーンシーリング材の内部から表面に滲み出し、さらには周囲に拡散して建材等に付着・浸透したシリコーンオイルを、元から洗い流すことができるシリコーンオイル洗浄剤を提供することを目的とする。【解決手段】  本発明のシリコーンオイル洗浄剤は、石油系溶剤、エチレングリコールモノブチルエーテル、ジメチルホルムアミド、界面活性剤およびノルマルヘキサンからなることを特徴とする。【選択図】なし【特許請求の範囲】
【請求項１】
エチレングリコールモノブチルエーテル、ノルマルヘキサンおよび界面活性剤を含むことを特徴とするシリコーンオイル洗浄剤。
【請求項２】
ミネラルスピリット、トルエン、キシレン、ノルマルデカンのうち少なくともいずれかを構成成分とすることを特徴とする請求項１記載のシリコーンオイル洗浄剤。
【請求項３】
ジメチルホルムアミドを構成成分とすることを特徴とする請求項１または請求項２に記載のシリコーンオイル洗浄剤。
【請求項４】
いずれも重量％でミネラルスピリットが１〜３０、エチレングリコールモノブチルエーテルが１０〜４６、界面活性剤が２〜６、ジメチルホルムアミドが１〜１０、および残余がノルマルヘキサンからなることを特徴とする請求項３に記載のシリコーンオイル洗浄剤。
【発明の詳細な説明】
【技術分野】
【０００１】
本発明は、建造物の外壁等屋外部分に施工したシリコーンシーリング材から滲み出たシリコーンオイルの除去に関する。
【背景技術】
【０００２】
従来、建造物の外壁等屋外部分の目地には、雨水の侵入を防ぐためシリコーンシーリング材が使われてきた。しかし、シリコーンシーリング材がゴム状に硬化した後内部からシリコーンオイルが表面に滲み出て、周囲の建材に拡散し、付着・浸透して汚染が拡がる状況が常態化していた。
【０００３】
シリコーンオイルが付着・浸透した部分は静電気を帯びやすく、浮遊塵を吸着して汚れが生じやすい。この汚染のメカニズムは２０数年前に解明されたが、建造物の外壁等屋外部の建材に付着・浸透したシリコーンオイルと汚染物を各種の洗剤で洗浄していたが、実際には効果的な洗浄は行われてこなかった。その理由は、シリコーンオイルの表面張力の値は２１mN/mであり、水（表面張力７３mN/m）やトルエン（表面張力２８mN/m）の表面張力の値より小さい。そのためシリコーンオイルは、水やトルエンが浸透することが出来ない微細なピンホールの中にまで染み込むからである。したがって、表面張力の値がシリコーンオイルより大きな溶剤や水性洗剤で建材を洗っても、建材内部のシリコーンオイルに到達しないため洗浄することが出来なかった。
【０００４】
シリコーンオイルの洗浄に関する公知発明には、次の特許文献が挙げられる。
【特許文献１】特願平４―１９７８０５、発明の名称「洗浄剤組成物」。
【特許文献２】特願平４−１９７８０６、発明の名称「洗浄剤組成物」。
【特許文献３】特願平４−１９７８０７、発明の名称「洗浄剤組成物」。
【特許文献４】特願平５−９８６３０、  発明の名称「洗浄剤組成物」。
【特許文献５】特願平１１−２４２８３２、発明の名称「光触媒膜の光触媒作用復帰方法およびそれに用いる洗浄剤」。
【発明の開示】
【発明が解決しようとする課題】
【０００５】
本発明は、建造物の外壁等屋外部に施工したシリコーンシーリング材の内部から表面に滲み出し、さらに周囲の建材等に付着・浸透したシリコーンオイルを、洗い流すことができるシリコーンオイル洗浄剤を提供することを目的とする。
【課題を解決するための手段】
【０００６】
本発明者は、実験の結果、エチレングリコールモノブチルエーテル、ノルマルヘキサンおよび界面活性剤の混成体がシリコーンオイルと融合することを見出した。
【０００７】
前記混成体を基本成分として、石油系溶剤であるミネラルスピリット、トルエン、キシレン、ノルマルデカンのうち少なくともいずれかを構成成分とすることがより効果的であることが判明した。
【０００８】
さらに、前記混成体を基本成分として、ジメチルホルムアミド（以下、DMFという。）を構成成分としてもよいことが判った。ミネラルスピリット、トルエン、キシレン、ノルマルデカンなどの石油系溶剤を含んでもよい。
【０００９】
本発明者は、数多くの実験の結果、以下の組成範囲が良好なシリコーンオイル洗浄剤として結論づけた。本発明のシリコーンオイル洗浄剤の組成は、いずれも重量％（以下、単に％と記す。）で、石油系溶剤が１〜３０％、エチレングリコールモノブチルエーテルが１０〜４６％、DMFが３〜１０％、界面活性剤が２〜６％、ｎヘキサンが残余である。
【発明の効果】
【００１０】
シリコーンシーリング材を施工した建材に本発明のシリコーンオイル洗浄剤を塗布すると、シリコーンオイル洗浄剤は、建材の内部に浸透し滞留したシリコーンオイル、あるいは表面に滲み出したシリコーンオイルと融合して建材からシリコーンオイルを分離する。本発明のシリコーンオイル洗浄剤の表面張力２０．５ｍN/ｍは水やトルエンの値よりも小さく、シリコーンオイルの値より小さい。そのため本発明のシリコーンオイル洗浄剤は、水やトルエンが浸透できない建材表面の微細なピンホールの中にまで染み込み、シリコーンオイルと融合する。その上で、洗浄水によって水中油滴型エマルションに乳化するため、乳化物を水で洗い流すことができる。
【発明を実施するための最良の形態】
【００１１】
本発明において、シリコーンオイルとは、シリコーンシーリング材の中に残留している未硬化の低分子量のジメチルポリシロキサンを指す。界面活性剤とｎヘキサンはシリコーンオイル洗浄剤の表面張力を下げて浸透性を向上させる。
【００１２】
なお、石油系溶剤とエチレングリコールモノブチルエーテルの合計量を３０％以下にすると乳化し難くなり、界面活性剤の配合量を２％以下にすると洗浄力が低下し6％を越えると濯ぎ洗いに大量の水が必要になる。界面活性剤とｎヘキサンの合計量を３０％以下にするとシリコーンオイル洗浄剤の表面張力は２３ｍN/ｍを越え浸透力が低下するため、洗浄力も低下する。
【実施例】
【００１３】
以下に、実施例をもって本発明をさらに説明する。
【００１４】
つぎのとおりの配合によるシリコーンオイル洗浄剤を調製した（以下、シリコーンオイル洗浄剤Ａと表現する）。
ミネラルスピリット                        ３２．０％
エチレングリコールモノブチルエーテル      １０．０％
DMF                                          ５．０％
界面活性剤                                   ３．０％
ｎヘキサン                                  残余
【００１５】
シリコーンオイル洗浄剤Ａはシリコーンオイルと混合すると、透明な状態に融合する。融合した液に水が接触すると白く乳化し、乳化物は水で簡単に洗い流すことができる。
【００１６】
シリコーンオイル洗浄剤Ａを使用して、シリコーンシーリング材から滲み出たシリコーンオイルが浸透したガラスと外壁を洗浄した。シリコーンオイル洗浄剤Ａを洗浄対象面に散布し軽くブラッシングした後、水洗いをしただけでシリコーンオイルを完全に除去することが出来た。
【００１７】
シリコーンオイル洗浄剤Ａの一成分であるミネラルスピリットを、トルエンに替えて調製したシリコーンオイル洗浄剤Ｂを用い、ガラス表面に付着したシリコーンオイルを同様の効果をもって洗浄することができた。
【００１８】
同様に、ミネラルスピリットを、それぞれキシレン、ノルマルデカンに替えて調製したシリコーンオイル洗浄剤Ｃ、シリコーンオイル洗浄剤Ｄについても、ともに前記同様の洗浄効果が確認された。